(57)【要約】    【課題】ドライバ等の工具を必要とせず、主婦などの非力な利用者であっても、簡単且つ容易に消火器本体をレンジフードに対し脱着可能とする。    【解決手段】  消火器取付部材２０Ａは消火器本体に回転自在に挿入されると共に任意の回転位置で固定されるリング部材４２Ａを有し、リング部材４２Ａから外側にピン頭部５０ａ付きのロックピン５０を突出している。レンジフード取付部材１８Ａは、ロックピン５０のピン頭部５０ａを係着する係止爪３０を備えると共に、係止爪３０の付け根の垂直部分にロックピンのピン胴部を挟着保持するラッチ部を設けている。取付け操作は、レンジフード取付部材１８Ａの係止爪３０に、消火器取付部材２０Ａのロックピン５０のピン頭部５０ａを斜めにして水平方向から挿入して係着した状態で下向きに回してロックピン５０のピン胴部をラッチ部に押し込んで挟着保持させる。    【選択図】      図１０
2008023020.tif 000002
【特許請求の範囲】
【請求項１】
所定温度に加熱された際に感熱ノズルを開放作動して消火薬液を下方に流出させる円筒状の消火器本体をレンジフードに水平に取付可能な消火装置に於いて、
前記消火器本体を回転自在に挿入すると共に任意の回転位置で固定されるリング部材を有し、前記リング部材から外側に頭部付きのロックピンを突出した一対の消火器取付部材と、
前記ロックピンの頭部を係着する係止爪を備えると共に、前記係止爪の付け根下方の垂直部分に前記ロックピンのピン胴部を挟着保持するラッチ部を設けた一対のレンジフード取付部材と、
を備え、
前記一対のレンジフード取付部材の係止爪に、前記一対の消火器取付部材のロックピンの頭部を斜めにして水平方向から挿入して係着した状態で下向きに回して前記ロックピンのピン胴部を前記ラッチ部に押し込んで挟着保持させることを特徴とする消火装置。
【請求項２】
請求項１記載の消火装置に於いて、前記レンジフード取付部材のラッチ部は、前記係止爪の付け根下方の垂直部分に前記ロックピンのピン胴部を挟着保持する一対のボールを離間配置したことを特徴とする消火装置。
【請求項３】
請求項１記載の消火装置に於いて、前記レンジフード取付部材は、レンジフード内壁のＬ字状縁部に挟着固定されるレンジ固定部と、前記レンジ固定部から上向に延在した後に横方向に延在した取付アームとを備え、前記取付アームの横方向の延在部に前記係止爪とラッチ部を設けたことを特徴とする消火装置。
【請求項４】
請求項１記載の消火装置に於いて、前記レンジフード取付部材は、レンジフード内壁のＬ字状縁部に挟着固定されるレンジ固定部と、前記レンジ固定部から下方に延在した後に横方向に延在した取付アームとを備え、前記取付アームの横方向の延在部下方に前記係止爪とラッチ部を設けたことを特徴とする消火装置。
【請求項５】
所定温度に加熱された際に感熱ノズルを開放作動して消火薬液を下方に流出させる円筒状の消火器本体をレンジフードに水平に取付可能な消火装置に於いて、
前記消火器本体を回転自在に挿入すると共に任意の回転位置で固定されるリング部材を有し、前記リング部材から外側にガイドピンを突出した一対の消火器取付部材と、
水平方向に開口部を形成したコ字形状を持ち、内側上部に付勢部材を配置すると共に内側下部に前記ガイドピンを挿入するガイド穴を形成した一対のレンジフード取付部材と、
を備え、
前記一対のレンジフード取付部材のガイド穴に、前記一対の消火器取付部材の前記ガイドピンが入るように水平方向の開口部から嵌め入れて前記付勢部材により押圧保持させることを特徴とする消火装置。
【請求項６】
所定温度に加熱された際に感熱ノズルを開放作動して消火薬液を下方に流出させる円筒状の消火器本体をレンジフードに水平に取付可能な消火装置に於いて、
前記消火器本体を回転自在に挿入すると共に任意の回転位置で固定されるリング部材を有し、前記リング部材の外周に台座を形成した一対の消火器取付部材と、
水平方向に開口部を形成したコ字形状を持ち、内側下部に前記台座を傾斜させた状態で挿入可能な開口部を備えた空洞を形成し、前記空洞内に付勢部材により開口部側に押圧されたリフト部材を収納した一対のレンジフード取付部材と、
を備え、
前記一対のレンジフード取付部材の内側下部の開口部に、前記一対の消火器取付部材の台座が入るように斜めにして嵌め入れた後、前記付勢部材によりリフト部材を前記台座に押付けて固定保持させたことを特徴とする消火装置。
【請求項７】
所定温度に加熱された際に感熱ノズルを開放作動して消火薬液を下方に流出させる円筒状の消火器本体をレンジフードに水平に取付可能な消火装置に於いて、
前記消火器本体を回転自在に挿入すると共に任意の回転位置で固定されるリング部材を有し、前記リング部材の外周に形成した台座の中にクリップ部材を配置した一対の消火器取付部材と、
水平方向に開口部を形成したコ字形状を持ち、内側上部に付勢部材を配置すると共に内側下部に係止解除位置で前記クリップ部材に対し着脱自在になると共に前記解除位置に対し所定角度回転したロック位置で前記クリップ部材に嵌合して抜け止めするクリップピンを設けた一対のレンジフード取付部材と、
を備え、
前記一対のレンジフード取付部材のクリップピンに、前記一対の消火器取付部材の台座に設けた前記クリップ部材が入るように水平方向の開口部から嵌め入れた後に前記クリップピンをロック位置に回して固定保持させることを特徴とする消火装置。
【発明の詳細な説明】
【技術分野】
【０００１】
本発明は、所定温度に加熱された際に感熱ノズルを開放作動して消火薬液を下方に流出させる円筒状の消火器本体をレンジフードに水平に取付可能とする消火装置に関する。
【背景技術】
【０００２】
従来、住宅用のレンジフード消火装置としては、容器内に消火薬剤と共に窒素等の不活性ガスを予め充填し、一定の圧力に加圧しておき、火災感知部の作動によってノズルから消火薬剤を加圧放出する。
【０００３】
また本願発明者にあっては、消火器本体内に消火薬剤を加圧せずに例えば大気圧の状態で充填し、火災時に開放作動した感熱ノズルから消火薬液を自然流下により消火対象物に垂らすことにより、天ぷら油の火災では油が大きく飛び散ることを防止し、また油や消火薬液による人への危険性も確実に回避できるようにしたレンジフード消火装置を提案している。
【０００４】
このようなレンジフード消火装置は、既存のレンジフード内に取り付けて使用することになり、従来の取付構造としては、レンジフード内の左右の壁面に略Ｌ字状をした取付金具を取り付け、この取付金具の上に消火器本体の両端部を載せてビス止め固定している。また取付金具を使用しない場合には、消火器本体の両端部にアジャスター装置を取り付け、レンジフード内の左右両壁面に対し圧迫保持させることで取り付けるようにしている。
【０００５】
更に、消火装置を取り付けるレンジフードの幅はメーカにより様々であることから、幅の広いレンジフードについては、消火器本体の端部に円筒状のカラーを装着して延長し、レンジフードの幅に合せて取付可能としている。
【特許文献１】特開２００５−１１８１０９号公報
【発明の開示】
【発明が解決しようとする課題】
【０００６】
しかしながら、このような従来のレンジフード消火装置にあっては、レンジフードの幅に適合するように円筒状のカラーを使用して取り付ける方法は開示されているが、レンジフードには深型、薄型などの多種多様の形状があり、レンジフード内の幅以外に取付位置の深さを考慮した取付構造としなければならず、カラーによる取付幅の調整だけでは対応が困難である。
【０００７】
また消火器本体をレンジフードに取り付けて使用している場合、レンジフードを清掃する際には、簡単に取り外すことができ、清掃後に簡単に取付けられる構造とする必要がある。特に、レンジフードの清掃は主婦などの一般消費者が日常的に行う作業であることから、ドライバーなどの工具を必要とすることなく、あまり力を必要とすることなく簡単に取外し、また取り付けることのできる構造が必要である。
【０００８】
しかし、従来のレンジフード消火装置は取付金具にビス止めする取付構造であり、ドライバ等の工具を必要とし、主婦などの一般消費者による取外しや取付けは無理であり、レンジフードの清掃が簡単にできないという問題がある。
【０００９】
またアジャスター装置による取付構造にあっては、取外しは簡単にできるが、再度取り付ける際に、レンジフード内の左右両壁面に対し圧迫保持させることで取り付ける作業が消火器本体を手で支えながら行うため大変であり、また取外し前の取付け位置がわからないため、正しい取付位置に戻すことができないという問題もある。
【００１０】
更に、従来のレンジフード取付構造にあっては、取付金具の上に消火器本体の両端を載せてビス止めする構造であり、消火器本体を脱着する方向としては、レンジフードに対して上下に脱着することになる。しかし薄型のレンジフードでは上下方向に余裕がなく、消火器本体の上下方向に移動して脱着する作業が行いづらいという問題がある。この問題はアジャスター装置による取付構造も同様であり、特に、アジャスター装置だけでは薄型のレンジフードの場合、取付可能な奥行きを確保できない場合もありうる。
【００１１】
本発明は、ドライバ等の工具を必要とせず、主婦などの非力な利用者であっても、簡単且つ容易に消火器本体をレンジフードに対し脱着可能とする取付構造を備えた消火装置を提供することを特徴とする。
【課題を解決するための手段】
【００１２】
本発明は、所定温度に加熱された際に感熱ノズルを開放作動して消火薬液を下方に流出又は放出させる円筒状の消火器本体をレンジフードに水平に取付可能な消火装置に於いて、
消火器本体を回転自在に挿入すると共に任意の回転位置で固定されるリング部材を有し、リング部材から外側に頭部付きのロックピンを突出した一対の消火器取付部材と、
ロックピンの頭部を係着する係止爪を備えると共に、係止爪の付け根下方の垂直部分にロックピンのピン胴部を挟着保持するラッチ部を設けた一対のレンジフード取付部材と、
を備え、
一対のレンジフード取付部材の係止爪に、一対の消火器取付部材のロックピンの頭部を斜めにして水平方向から挿入して係着した状態で下向きに回してロックピンのピン胴部をラッチ部に押し込んで挟着保持させることを特徴とする。
【００１３】
ここで、レンジフード取付部材のラッチ部は、係止爪の付け根の垂直部分にロックピンのピン胴部を挟着保持する一対のボールを離間配置する。
【００１４】
深型レンジフード用として、レンジフード取付部材は、レンジフード内壁のＬ字状縁部に挟着固定されるレンジ固定部と、レンジ固定部から上向に延在した後に横方向に延在した取付アームとを備え、取付アームの横方向の延在部下方に係止爪とラッチ部を設ける。
【００１５】
また薄型レンジフード用として、レンジフード取付部材は、レンジフード内壁のＬ字状縁部に挟着固定されるレンジ固定部と、レンジ固定部から下方に延在した後に横方向に延在した取付アームとを備え、取付アームの横方向の延在部下方に係止爪とラッチ部を設ける。
【００１６】
本発明の別の形態にあっては、所定温度に加熱された際に感熱ノズルを開放作動して消火薬液を下方に流出させる円筒状の消火器本体をレンジフードに水平に取付可能な消火装置に於いて、
消火器本体を回転自在に挿入すると共に任意の回転位置で固定されるリング部材を有し、リング部材から外側にガイドピンを突出した一対の消火器取付部材と、
水平方向に開口部を形成したコ字形状を持ち、内側上部に付勢部材を配置すると共に内側下部にガイドピンを挿入するガイド穴を形成した一対のレンジフード取付部材と、
を備え、
一対のレンジフード取付部材のガイド穴に、一対の消火器取付部材のガイドピンが入るように水平方向の開口部から嵌め入れて付勢部材により押圧保持させることを特徴とする。
【００１７】
本発明の別の形態にあっては、所定温度に加熱された際に感熱ノズルを開放作動して消火薬液を下方に流出させる円筒状の消火器本体をレンジフードに水平に取付可能な消火装置に於いて、
消火器本体を回転自在に挿入すると共に任意の回転位置で固定されるリング部材を有し、リング部材の外周に台座を形成した一対の消火器取付部材と、
水平方向に開口部を形成したコ字形状を持ち、内側下部に台座を傾斜させた状態で挿入可能な開口部を備えた空洞を形成し、空洞内に付勢部材により開口部側に押圧されたリフト部材を収納した一対のレンジフード取付部材と、
を備え、
一対のレンジフード取付部材の内側下部の開口部に、一対の消火器取付部材の台座が入るように斜めにして嵌め入れた後、付勢部材によりリフト部材を台座に押付けて固定保持させたことを特徴とする。
【００１８】
本発明の別の形態にあっては、所定温度に加熱された際に感熱ノズルを開放作動して消火薬液を下方に流出させる円筒状の消火器本体をレンジフードに水平に取付可能な消火装置に於いて、
消火器本体を回転自在に挿入すると共に任意の回転位置で固定されるリング部材を有し、リング部材の外周に形成した台座の中にクリップ部材を配置した一対の消火器取付部材と、
水平方向に開口部を形成したコ字形状を持ち、内側上部に付勢部材を配置すると共に内側下部に係止解除位置でクリップ部材に対し着脱自在となり、解除位置に対し所定角度回転したロック位置でクリップ部材に嵌合して抜け止めするクリップピンを設けた一対のレンジフード取付部材と、
を備え、
一対のレンジフード取付部材のクリップピンに、一対の消火器取付部材の台座に設けたクリップ部材が入るように水平方向の開口部から嵌め入れた後にクリップピンをロック位置に回して固定保持させることを特徴とする。
【発明の効果】
【００１９】
本発明によれば、レンジフード内の左右内壁に固定したレンジフード取付部材に対し、消火器本体側に固定した消火器取付部材の上部に突出したロックピンを水平方向から斜めに傾けた状態で押し込んで引掛けた後、下向きに回すことで取付位置にロックされ、ドライバ等の工具を使用することなく、ワンタッチ操作で簡単に取り付けることができ、レンジフードの清掃が簡単且つ容易にできる。
【００２０】
この場合の消火器取付部材の引掛けによるロック位置への回動は、「てこ」の作用を利用しているため、主婦のような非力な人でも容易に取り付けることができる。
【００２１】
また消火器本体の取外しは、取付時とは逆に消火器本体の消火器取付部材を上向きに回すことで、レンジフード取付部材とのロックが解除され、この状態で水平方向に引き出すことで簡単に取り外すことができる。
【００２２】
また消火器本体のレンジフードに対する脱着は、消火器本体側の水平方向の移動であり、上下方向の動きを必要としないため、上下方向にスペースを取る必要がなく、薄型レンジフードであっても、簡単且つ容易に脱着でき、レンジフードの形状に起因した消火器本体の脱着の難しさを回避することができる。
【００２３】
また消火器取付部材はリング部材に消火器本体を挿入して任意の回転位置でのビス止め固定が可能であるため、レンジフードに対する左右方向の位置調整及び回転方向の位置調整が容易にでき、例えばレンジ上の天ぷら鍋などに向けて火災時に消火薬液を自然流下可能とする正しい位置に取付けできる。
【発明を実施するための最良の形態】
【００２４】
図１は本発明によるレンジフード消火装置の第１実施形態を示した説明図である。図１において、第１実施形態のレンジフード消火装置１０は想像線で示すレンジフード１２内に取付固定されている。レンジフード消火装置１０は消火器本体１４と消火器本体１４の下部２箇所に分けて設置した感熱ノズル１６で構成される。消火器本体１４は両端を閉鎖した円筒状の部材であり、内部に消火薬液を収納している。
【００２５】
レンジフード消火装置１０は感熱ノズル１６がレンジ直上に位置するようにレンジフード１２内に取付けており、レンジに２口コンロが設けられている場合を対象とし、コンロの間隔にあわせて２つの感熱ノズル１６を設けている。
【００２６】
レンジフード消火装置１０をレンジフード１２内に装着した状態で、万一、天ぷら火災が発生すると感熱ノズル１６の可溶部が一定の温度に達したときに溶融して開放作動し、消火器本体１４に収納している消火薬液を自然流下により天ぷら火災を起している鍋の中に流出させる。
【００２７】
レンジフード１２に対する消火器本体１４の取付は消火器本体１４の両側に設けているレンジフード取付部材１８Ａと消火器取付部材２０Ａにより行う。
【００２８】
ここで、本実施形態のレンジフード消火装置１０を取付けるレンジフード１２の左右の取付幅はレンジフードのメーカーによって相違があるが、一般的には６００ミリメートル、７５０ミリメートル及び９００ミリメートルの３種類の幅をもつレンジフードが非常に多い。
【００２９】
そこで本実施形態にあっては６００ミリメートル幅を持つレンジフードを最小幅とし、図１の第1実施形態のように消火器本体１４を消火器取付部材２０Ａとレンジフード取付部材１８Ａによってレンジフード１２に取付ける。この最小幅のレンジフード１２に対し、７５０ミリメートル及び９００ミリメートルというように幅が大きくなった場合には、後の説明で明らかにするように、消火器本体１４の両側もしくはいずれか一方に延長アダプタを装着して取付けるようにする。
【００３０】
更に、本実施形態の消火器本体１４に設けた感熱ノズル１６の間隔Ｌは２口のコンロ間隔に適合するように決める必要がある。このコンロ間隔Ｌを通常のコンロについて調査したところ、最小間隔が２３０ミリメートルであり、最大間隔が３７０ミリメートルであったことから、本実施形態にあっては最小間隔と最大間隔の平均間隔として感熱ノズル１６の間隔ＬをＬ＝３００ミリメートルとしている。
【００３１】
このように感熱ノズル１６の間隔Ｌを３００ミリメートルとすれば、最小コンロ間隔２３０ミリメートル及び最大レンジ間隔３７０ミリメートルに対する誤差は７０ミリメートルとなり、２口コンロに対し均等に位置するように感熱ノズル１６を配置すると、最小間隔及び最大間隔に対するずれは３５ミリメートルのずれとなる。このため感熱ノズル１６から消火薬液を自然流下させる方式であっても、確実にレンジ上の火災を起している天ぷら鍋の中に消火薬液を流下して消火することができる。
【００３２】
図２は図１の第１実施形態で消火器本体側を取り外したレンジフード側の説明図である。図２において、図１の消火器取付部材２０Ａを取付けている消火器本体１４を取り外すと、レンジフード１２側にはレンジフード取付部材１８Ａが残ることになる。すなわち本実施形態のレンジフード消火装置１０にあっては、図２のようにまずレンジフード１２側にレンジフード取付部材１８Ａを固定し、この状態で消火器本体を脱着自在とすることになる。
【００３３】
図３は図２のレンジフード取付部材１８Ａを取り出して示した説明図であり、図４にその斜視図を示している。
【００３４】
図３及び図４において、レンジフード取付部材１８Ａは下部にレンジ固定ブロック２２と押えブロック２４を装着しており、レンジ固定ブロック２２は嵌合溝２３を下側から上向きに形成しており、この嵌合溝２３が開口した下側にビス２５により押えブロック２４をネジ込み固定することで、嵌合溝２３の部分にレンジフード内側の内壁からＬ字状に起立したレンジ円部を収納し、ビス２５による押えブロック２４の締め付けでレンジフード取付部材１８Ａをレンジフードに固定する。
【００３５】
レンジ固定ブロック２２の上部にはビス２８により取付アーム２６Ａが固定されている。取付アーム２６Ａは垂直アーム部２６ａに続いて上部を横方向に延在した水平アーム部２６ｂとしている。水平アーム部２６ｂの上部には二股に分かれた係止爪３０を前方に張り出して先端を上方に屈曲しており、係止爪３０に間に引掛け溝３２を形成している。
【００３６】
係止爪３０の下側にはラッチ部３４が形成されている。ラッチ部３４は引掛け溝３２に垂直方向に相対した位置に一対のボール３６をバネ３８の押圧を受けて円筒状に屈曲形成した部分に組み込んで離間配置していいる。係止爪３０の引掛け溝３２及びボール３６を備えたラッチ部３４には、後の説明で明らかにする消火器取付部材２０Ａのロックピンが着脱自在に嵌め込み固定される。
【００３７】
図５は図１の第１実施形態でレンジフード１２側から取り外した消火器本体側の説明図である。図５において、消火器本体１４の両端には一対の消火器取付部材２０Ａが固定されており、消火器取付部材２０Ａの上部にはロックピン５０が突出しており、このロックピン５０が図３及び図４に示したレンジフード取付部材１８Ａ側の係止爪３０の間の引掛け溝３２とラッチ部３４における一対のボール３６の間に嵌め込み固定される。
【００３８】
図６は図５から消火器取付部材２０Ａを外した消火器本体１４の説明図である。消火器本体１４は、図１で説明したように一対の感熱ノズル１６をＬ＝３００ミリメートルの間隔をあけて下向きに設置しており、消火器本体１４の両端にはキャップ１５がビス４０により固定されている。
【００３９】
図７は図６の消火器本体１４の断面図であり、キャップ１５はビス４０により３箇所で固定されており、下向きに感熱ノズル１６が取付られている。
【００４０】
図８は図１の第１実施形態における消火器取付部材２０Ａを取り出して示した説明図であり、図８（Ａ）に断面図を図８（Ｂ）に側面図を示している。図８において、消火器取付部材２０Ａはリング部材４２Ａを有し、本実施形態においてリング部材４２Ａは上部で分割され、分割部分にフランジ４４を形成しており、フランジ４４の部分にボルト４６を通してナット４８で締め付けることで、内側の消火器保持部４２ａで図６の消火器本体１４を挿入した状態で、取付固定できるようにしている。
【００４１】
また図８（Ｂ）の側面図に示すように、リング部材４２Ａの上部外側に向けて取付アーム５２が延在されており、取付アーム５２にロックピン５０がナット５４で固定される。ロックピン５０はピン頭部５０ａを有し、続いてピン胴部５０ｂを備えている。
【００４２】
図９は第１実施形態の消火器取付部材２０Ａによる消火器本体１４の取付器の調整を示した説明図である。図９（Ａ）は消火器取付部材２０Ａを消火器本体１４に挿入した状態で消火器本体１４の感熱ノズル１６は真下に向けて配置し、消火器取付部材２０Ａの取付方向としてロックピン５０を感熱ノズル１６と同軸の垂直方向の上方に向けて調整して固定した状態である。
【００４３】
図９（Ｂ）は消火器本体１４に対し、消火器取付部材２０Ａをロックピン５０の方向に示すように垂直上方に対し左側斜め方向に傾けて調整した状態で固定している。
【００４４】
このように本実施形態の消火器取付部材２０Ａにあっては、図８（Ａ）に示したようにフランジ４４の部分で分割したリング部材４２Ａを使用して消火器本体１４に嵌めいれることで、任意の回転方向に調整すると同時に消火器本体１４の軸方向についても任意の位置に調整して固定することができる。
【００４５】
図１０は図１の第１実施形態におけるレンジフード取付部材１８Ａに対する消火器取付部材２０Ａのワンタッチ取付操作の説明図である。図１０（Ａ）は最初の取付開始位置であり、消火器取付部材２０Ａを水平方向からレンジフード取付部材１８Ａに近づけ消火器取付部材２０Ａの上部に突出しているロックピン５０のピン頭部５０ａをレンジフード取付部材１８Ａの上部にＬ字型に屈曲して張り出している二股に分かれた係止爪３０を間に位置させ、図１０（Ｂ）のように係止爪３０の間にピン頭部５０ａを溝の上部としてロックピン５０を嵌め入れる。
【００４６】
この状態で消火器取付部材２０Ａ側を矢印で示すようにレンジフード取付部材１８Ａに下向きに回動して押し込むと、係止爪３０の上側に装着しているロックピン５０側のピン頭部５０ａを支点に消火器取付部材２０Ａが回動し、図１０（Ｃ）の位置でピン５０のピン胴部が図３及び図４に示したラッチ部３４のボール３６の手前に位置する。
【００４７】
この状態で更に下向きに「てこ」の作用を利用して押し込むと、図１０（Ｄ）のように、消火器取付部材２０Ａはレンジフード取付部材１８Ａの中に位置し、このとき上部のロックピン５０のピン胴部が図３及び図４に示したラッチ部３４のボール３６の間を通り抜けて水平アーム部２６ｂに当たり、ピン胴部の外側部分を一対のボール３６の先端で押えることで、挟着保持したロック状態とする。
【００４８】
このように第1実施形態の消火器取付部材２０Ａによるレンジフード取付部材１８Ａに対する取付けは、ピン５０の先端のピン頭部５０ａを二股に分かれた係止爪３０の間に入れて下向きに回すように押し込むというワンタッチ操作により簡単に取付けることができる。
【００４９】
また、このときレンジフード取付部材１８Ａに対し消火器取付部材２０Ａを水平方向から位置決めすればよく、上下方向の位置調整は不要であり、上下となる奥行き方向に制約があるレンジフードの取付であっても、上下方向の制約を受けることなく簡単に取付けることができる。
【００５０】
更にロックピン５０の先端のピン頭部５０ａを係止爪３０に引掛けることができれば、この状態で消火器本体を手で支える必要がなくなり、主婦などの非力な利用者であっても簡単に消火器本体をレンジフード側に取付けることができる。
【００５１】
一方、図１０（Ｄ）のような取付状態から取り外す場合には、消火器取付部材２０Ａを固定している円筒状の消火器本体を手でもって手前に引くと、図１０（Ｃ）、図１０（Ｂ）のように、係止爪３０からロックピン５０を外すことで簡単に取り外すことができる。もちろん図１０における取付及び取り外しのいずれについてもドライバなどの工具は一切必要としない。
【００５２】
図１１は本発明によるレンジフード消火装置の第２実施形態を示した説明図であり、図１の第１実施形態が上下方向に余裕のある深型のレンジフードの取付を対象としているものに対し、図１１の第２実施形態にあっては上下方向の奥行きが制約された薄型のレンジフード１２を対象とした取付けを可能としている。
【００５３】
なお、本実施形態においては、二股の係止爪３０の先端がそのまま切れた構造となっているが、先端がくっついた孔の形状となっていても良く、孔の一部をピン頭部５０ａが挿入できる大きさにして、消火器取付部材２０Ａがレンジフード取付１８Ａに完全に取付けられたときに、ロックピン５０が係止爪３０から外れない構造としても良い。
【００５４】
図１１において、消火器本体１４は下部に設置間隔Ｌ＝３００ミリメートルを離して感熱ノズル１６を装着しており、消火器本体１４の両側には図１の第１実施形態と同じ構成の消火器取付部材２０Ａが固定されている。
【００５５】
ここで消火器本体１４が取付けるレンジフード１２は、図１の第１実施形態の最小サイズである６００ミリメートルよりも大きいことから、消火器本体１４の左側に円筒状の延長アダプタ５４を連結部材５６を介して取付けてビス５８により固定し、延長アダプタ５４の部分に一方の消火器取付部材２０Ａを固定している。
【００５６】
図１の第１実施形態と同じ構成の消火器取付部材２０Ａに対し、レンジフード１２側に固定するレンジフード取付部材１８Ａは第２実施形態の薄型レンジフード１２に対応した構造としている。
【００５７】
図１２は第２実施形態で消火器本体側を取り外したレンジフード側の説明図である。図１２において、レンジフード側に固定するレンジフード取付部材１８Ｂは、レンジ固定ブロック２２と押えブロック２４で構成され、この点は第１実施形態と同じである。レンジ固定ブロック２２の嵌合溝２３にはレンジフード１２側のＬ字型の縁部が配置され、下側から押えブロック２４をビス２５により締め付けることで固定している。
【００５８】
一方、押えブロック２４の下側に取付アーム２６Ｂが固定され、取付アーム２６Ｂは第１実施形態とは逆に下向きに延在された後に横方向に水平アーム部を形成し、水平アーム部に第１実施形態と同様、間に引っ掛け溝３２を形成する一対の係止爪３０を張り出し、係止爪３０の先端を上部に屈曲している。また係止爪３０の下側には引掛け溝３２に対応して一対のボール３６を離間配置したラッチ部３４を設けている。この係止爪３０及びラッチ部３４の構造は図３及び図４に示した第１実施形態と同じである。
【００５９】
図１３は図１１の第２実施形態で消火器本体側をレンジフード側から取り外した状態の説明図である。図１３において、消火器本体１４は下側に一対の感熱ノズル１６を配置し、右側にキャップ１５を取付けているが、左側については取付対象となるレンジフード１２のサイズが大きいことから、これに合せて延長アダプタ５４を連結部材３６を間に入れてビス５８により固定し、延長アダプタ５４の部分に消火器取付部材２０Ａを固定している。
【００６０】
この図１１〜図１３に示した第２実施形態についても、消火器本体１４に固定している消火器取付部材２０Ａの上部のロックピン５０をレンジフード１２側に固定しているレンジフード取付部材１８Ｂの係止爪３０の間の引掛け溝３２に入れ、この状態で下向きに回すことでピン胴部をラッチ部３４の一対のボール３６の間を通して押し込んでロックすることで取付ける。
【００６１】
このため第２実施形態にあっても、第１実施形態と同様、レンジフードに対する消火器本体の取付けがワンタッチで且つ簡単容易にでき、また清掃などの際にレンジフードから消火器本体を取り外す際にもワンタッチで且つ簡単容易に取り外すことができる。
【００６２】
図１４は本発明によるレンジフード取付装置の第３実施形態の説明図である。図１４の第３実施形態において、レンジフード取付部材１８Ｃはレンジ固定ブロック６０によりレンジフードに固定され、レンジ固定ブロック６０の下側にホルダー６２を取付けている。ホルダー６２は内側上部にロック板バネ６６を下向きに配置し、ハ字状に開いたバネ板部分で消火器本体１４を押える。
【００６３】
一方、消火器本体１４に固定される消火器取付部材２０Ｃはリング部材４２Ｃを有し、リング部材４２Ｃの下部に埋め込み固定をもってガイドピン６８を下向きに突出している。
【００６４】
図１５は第３実施形態におけるレンジフード取付部材１８Ｃに対する消火器取付部材のワンタッチ取付操作の説明図である。図１５（Ａ）は取付初期の状態であり、レンジフード取付部材１８Ｃにおけるレンジフード固定ブロック６０の下側にビスにより固定したホルダー６２は、レンジフード取付状態で前方となる横方向に開口６４を有し、ホルダー６２の内側上部にロック板バネ６６を固定し、内側下部にガイド穴７０を形成している。ロック板バネ６６は二股に開いた板バネであり、ホルダー６２内に挿入されるリング部材４２Ｃを下向きに押え付ける付勢部材である。
【００６５】
図１５（Ａ）の取付初期の状態にあっては、消火器取付部材２０Ｃに固定したガイドピン６８をホルダ６２の下部のガイド穴７０に向けてロック板バネ６６を押し上げながら嵌め入れ、図１５（Ｂ）のようにガイドピン６８がガイド穴７０に嵌め込まれたら、この状態でロック板バネ６６に抗して消火器取付部材２０Ｃをホルダー６２の中に起き上がるように押し込む。
【００６６】
最終的に図１５（Ｄ）のようにホルダー６２の中にロック板バネ６６の押し圧を受けて消火器取付部材２０Ｃが保持された取付状態とする。この図１５（Ａ）の取付状態はガイド穴７０からみてガイドピン６８が垂直方向に突出していることで、正しい収納状態にあることが確認できる。
【００６７】
一方、図１５（Ｄ）の状態から取り外す場合には、消火器取付部材２０Ｃを固定している消火器本体１４を手にもって図１５（Ｃ）、図１５（Ｂ）、図１５（Ａ）に示すようにホルダー６２の中から引き出すことで簡単に取り外すことができる。
【００６８】
尚、図１４の第３実施形態にあっては、上下方向の深さに制約のある薄型のレンジフード１２の取付けを例にとっているが、図１に示すような上下方向に余裕のある深型のレンジフード１２に取付ける場合には、図１のレンジフード取付部材１８Ａに示すように、レンジフード側の固定部に対し取付アームを上方向に延在し、その先にホルダー６２を取付けた構造とすればよい。
【００６９】
また、消火器取付部材２０Ｃとレンジフード取付部材１８Ｃのロックを強固にするため、ロック板バネ６６に爪を設け、対応する消火器取付部材２０Ｃの位置に爪と係止する溝を設けても良い。
【００７０】
図１６は本発明によるレンジフード消火装置の第４実施形態を示した説明図である。図１６の第４実施形態において、レンジフード１２側については一対のレンジフード取付部材１８Ｄが固定され、一方、消火器本体１４側には一対の消火器取付部材２０Ｄが取付られている。
【００７１】
この実施形態にあっても、取付対象となるレンジフードのサイズは６００ミリメートルの最小サイズより大きいことから、消火器本体１４の右側に延長アダプタ５４を取付け、この部分に一方の消火器取付部材２０Ｄを固定している。レンジフード取付部材１８Ｄと消火器取付部材２０Ｄの構造及びワンタッチ取付操作は図１７に示すようになる。
【００７２】
図１７（Ａ）は取付初期の状態である。まずレンジフード取付部材１８Ｄはレンジ固定ブロック７２の下部に、前方となる横方向に開口した断面コ字状のホルダー７４を固定している。
【００７３】
ホルダー７４内の底部には箱型の空洞部７８が形成され、空洞部７８の上部に開口８０が形成されている。また空洞部７８の内部にはガイドピン８６を下側に取り出してリフト部材８２が上下方向に移動自在に埋め込まれ、リフト部材８２はバネ８４により上方に付勢されている。一方、消火器本体１４に取付ける消火器取付部材２０Ｄは下側に台座７６を一体に形成している。
【００７４】
このためレンジフード取付部材１８Ｄに対し消火器取付部材２０Ｄを取付ける場合には、図１７（Ａ）のように、消火器取付部材２０Ｄにおけるリング部材４２Ｄの下側に形成している台座７６をホルダー７４の下部の空洞部７８に設けた開口８０に前方側を斜めにしてリフト部材８２を下げるように嵌め入れ、さらに図１７（Ｂ）に示すように、台座７６の手前側を開口部８０に合わせ、図１７（Ｃ）のように台座７６を空洞部７８の開口部８０の内側でリフト部材８２に押圧された状態に押し込む。
【００７５】
この状態で図１７（Ｄ）のように消火器取付部材２０Ｄの台座７６の上部両側の段部が空洞部７８の開口８０に嵌合するように調整することで、バネ８４によるリフト部材８２の押圧を受けた組み込み保持状態とすることができる。
【００７６】
図１７（Ｄ）の取付状態から外す場合には、図１７（Ｃ）、図１７（Ｂ）、図１７（Ａ）のようにして空洞部７８の開口８０から消火器取付部材２０Ｄの台座７６を抜くことで簡単に取り外すことができる。
【００７７】
尚、図１６の第４実施形態にあっても、レンジフード１２における上下方向の制約がある薄型のレンジフード１２の取付けを例にとるものであったが、図１に示したような上下方向の余裕のある深型のレンジフードに取付ける際には、レンジ固定ブロック６０から上方に取付アームを延在してその先端にホルダー６２を配置する構造とすれば良い
図１８は本発明の第５実施形態におけるレンジフード取付部材に対する消火器取付部材のワンタッチ取付操作の説明図である。
【００７８】
図１８（Ａ）はレンジフード取付部材１８Ｅに消火器取付部材２０Ｅを取付た状態の側面断面図であり、レンジフード取付部材１８Ｅはレンジフード固定ブロック８８の下側にホルダー９２を取付けており、ホルダー９２の上部内側にはロック板バネ９４が固定されている。
【００７９】
一方、消火器取付部材２０Ｅはリング部材４２Ｅを有し、その外側の台座となる部分にクリップピン９５とクリップバネ１００を用いたロック機構を設けている。
【００８０】
図１８（Ｂ）は第５実施形態の断面図であり、レンジフード取付部材１８Ｅのホルダー９２は前方となる横方向に開口したコ字状の部材であり、ホルダー９２の内側上部に二股に開いたロック板バネ９４を取付け、ロック板バネ９４により消火器取付部材２０Ｅを押し圧保持している。
【００８１】
消火器取付部材２０Ｅの下側の台座部分にはクリップ部材として機能するクリップバネ１００が固定されている。クリップバネ１００は先端を分割して挟み込み部分とした三角形の板バネであり、三角形底部には通し穴が形成されており、下側から操作ノブ９８を備えたクリップピン９５を挿入している。
【００８２】
図１８（Ｃ）は操作ノブ９８を９０度回したロック解除状態を示している。ロックピン９５は図８（Ｂ）のロック状態でピン両側に形成したロック溝９６にクリップバネ１００の先端の挟み込み部分を嵌合し、抜け止め固定している。
【００８３】
これに対し図１８（Ｃ）のように操作ノブ９８を９０度回すと、クリップバネ１００の先端の挟み込み部分からクリップピン９５のロック溝９６が９０度回転に伴って外れ、クリップバネ１００をクリップピン９５から離脱させることができる。
【００８４】
この図１８の第５実施形態におけるワンタッチ取付操作は、レンジフード取付部材１８Ｅのホルダー９２の開口部からロック板バネ９４に抗して消火器取付部材２０Ｅを嵌め入れ、このとき消火器取付部材２０Ｅの台座に設けているクリップバネ１００にホルダー９２の底部から突出しているクリップピン９５を嵌め込むようにする。
【００８５】
クリップピン９５がクリップバネ１００に嵌め込まれたら、図１８（Ｂ）のように操作ノブ９８をロック位置に回して抜け止め固定する。
【００８６】
一方、図１８（Ｂ）のような取付状態から外す場合には、操作ノブ９８を図１８（Ｃ）のように９０度異なる取り外し位置に回し、この状態で消火器取付部材２０Ｅを取り付けている消火器本体を上部に引き上げて手前に引き出すことで、簡単に取り外すことができる。
【００８７】
尚、本発明は上記の実施形態に限定されず、レンジフード取付部材と消火器取付部材を用いて両者をワンタッチ構造により着脱自在にするものであれば、適宜の変形を含むものである。また本発明は上記の実施形態に示した数値による限定は受けない。
【図面の簡単な説明】
【００８８】
【図１】本発明によるレンジフード消火装置の第１実施形態を示した説明図
【図２】第１実施形態で消火器本体側を取り外したレンジフード側の説明図
【図３】図２のレンジフード取付部材を取り出して示した説明図
【図４】図２のレンジフード取付部材を取り出して示した斜視図
【図５】第１実施形態でレンジフードから取り外した消火器本体側の説明図
【図６】図５から消火器取付部材を外した消火器本体の説明図
【図７】図６の消火器本体側の端面図
【図８】第１実施形態の消火器取付部材を取り出して示した説明図
【図９】第１実施形態の消火器取付部材による消火器本体の取り付け位置の調整を示した説明図
【図１０】第１実施形態におけるレンジフード取付部材に対する消火器取付部材のワンタッチ取り付け操作の説明図
【図１１】本発明によるレンジフード消火装置の第２実施形態を示した説明図
【図１２】第２実施形態で消火器本体側を取り外したレンジフード側の説明図
【図１３】第２実施形態でレンジフードから取り外した消火器本体側の説明図
【図１４】本発明によるレンジフード消火装置の第３実施形態を示した説明図
【図１５】第３実施形態におけるレンジフード取付部材に対する消火器取付部材のワンタッチ取り付け操作の説明図
【図１６】本発明によるレンジフード消火装置の第４実施形態を示した説明図
【図１７】第４実施形態におけるレンジフード取付部材に対する消火器取付部材のワンタッチ取り付け操作の説明図
【図１８】本発明の第５実施形態におけるレンジフード取付部材に対する消火器取付部材のワンタッチ取り付け操作の説明図
【符号の説明】
【００８９】
１０：レンジフード消火装置
１２：レンジフード
１４：消火器本体
１５：キャップ
１６：感熱ノズル
１８Ａ，１８Ｂ，１８Ｃ，１８Ｄ，１８Ｅ：レンジフード取付部材
２０Ａ，２０Ｂ，２０Ｃ，２０Ｄ，２０Ｅ：消火器取付部材
２２，６０，７２，８８：レンジ固定ブロック
２３：嵌合溝
２４：押えブロック
２５，２８，４０，５８：ビス
２６Ａ，２６Ｂ：取付アーム
２６ａ：垂直アーム部
２６ｂ：水平アーム部
３０：係止爪
３２：引掛け溝
３４：ラッチ部
３６：ボール
３８，８４：バネ
４２Ａ，４２Ｂ，４２Ｃ，４２Ｄ，４２Ｅ：リング部材
４２ａ：消火器保持部
４４：フランジ
４６：ボルト
４８：ナット
５０：ロックピン
５０ａ：ピン頭部
５０ｂ：ピン胴部
５２：取付アーム
５４：延長アダプタ
５６：連結部材
６２，７４，９２：ホルダー
６４，８０：開口
６６，９４：ロック板バネ
６８，８６：ガイドピン
７０：ガイド穴
７６：台座
７８：空洞部
８０：リフト部材
９５：クリップピン
９６：ロック溝
９８：操作ノブ
１００：クリップバネ
【図１】
2008023020.tif 000003
【図２】
2008023020.tif 000004
【図３】
2008023020.tif 000005
【図４】
2008023020.tif 000006
【図５】
2008023020.tif 000007
【図６】
2008023020.tif 000008
【図７】
2008023020.tif 000009
【図８】
2008023020.tif 000010
【図９】
2008023020.tif 000011
【図１０】
2008023020.tif 000012
【図１１】
2008023020.tif 000013
【図１２】
2008023020.tif 000014
【図１３】
2008023020.tif 000015
【図１４】
2008023020.tif 000016
【図１５】
2008023020.tif 000017
【図１６】
2008023020.tif 000018
【図１７】
2008023020.tif 000019
【図１８】
2008023020.tif 000020
【手続補正書】
【提出日】平成18年8月4日(2006.8.4)
【手続補正１】
【補正対象書類名】図面
【補正対象項目名】全図
【補正方法】変更
【補正の内容】
【図１】
2008023020.tif 000021
【図２】
2008023020.tif 000022
【図３】
2008023020.tif 000023
【図４】
2008023020.tif 000024
【図５】
2008023020.tif 000025
【図６】
2008023020.tif 000026
【図７】
2008023020.tif 000027
【図８】
2008023020.tif 000028
【図９】
2008023020.tif 000029
【図１０】
2008023020.tif 000030
【図１１】
2008023020.tif 000031
【図１２】
2008023020.tif 000032
【図１３】
2008023020.tif 000033
【図１４】
2008023020.tif 000034
【図１５】
2008023020.tif 000035
【図１６】
2008023020.tif 000036
【図１７】
2008023020.tif 000037
【図１８】
2008023020.tif 000038